(57)【要約】  本開示の一態様に係るユーザ端末は、セミパーシステントなチャネル状態情報の報告（ＳＰ−ＣＳＩ（Semi-Persistent  Channel  State  Information）報告）の開始を指示する情報を受信する受信部と、前記情報の受信に対するフィードバック報告のタイミングと、前記ＳＰ−ＣＳＩ報告のタイミングと、の関係の有無に基づいて、前記ＳＰ−ＣＳＩ報告のタイミングを決定する制御部と、を有することを特徴とする。本開示の一態様によれば、ＭＡＣ  ＣＥ（Medium  Access  Control  Control  Element）によってＳＰ−ＣＳＩ報告アクティベーションが指示される場合であっても、ＳＰ−ＣＳＩ報告及び／又は検出を適切に制御できる。
2019159243.tif 000002
【特許請求の範囲】
【請求項１】
セミパーシステントなチャネル状態情報の報告（ＳＰ−ＣＳＩ（Semi-Persistent  Channel  State  Information）報告）の開始を指示する情報を受信する受信部と、
前記情報の受信に対するフィードバック報告のタイミングと、前記ＳＰ−ＣＳＩ報告のタイミングと、の関係の有無に基づいて、前記ＳＰ−ＣＳＩ報告のタイミングを決定する制御部と、を有することを特徴とするユーザ端末。
【請求項２】
前記制御部は、前記フィードバック報告のタイミングと、前記ＳＰ−ＣＳＩ報告のタイミングと、の関係がないと想定して、前記フィードバック報告のタイミングに依らずに前記ＳＰ−ＣＳＩ報告のタイミングを決定することを特徴とする請求項１に記載のユーザ端末。
【請求項３】
前記制御部は、前記フィードバック報告のタイミングと、前記ＳＰ−ＣＳＩ報告のタイミングと、の関係があると想定して、前記フィードバック報告のタイミングに基づいて前記ＳＰ−ＣＳＩ報告のタイミングを決定することを特徴とする請求項１に記載のユーザ端末。
【請求項４】
前記制御部は、前記フィードバック報告のタイミングに、上位レイヤシグナリングによって設定される前記ＳＰ−ＣＳＩ報告に関するタイミングオフセットを加えたタイミングが、前記ＳＰ−ＣＳＩ報告のタイミングであると決定することを特徴とする請求項３に記載のユーザ端末。
【請求項５】
セミパーシステントなチャネル状態情報の報告（ＳＰ−ＣＳＩ（Semi-Persistent  Channel  State  Information）報告）の開始を指示する情報を受信するステップと、
前記情報の受信に対するフィードバック報告のタイミングと、前記ＳＰ−ＣＳＩ報告のタイミングと、の関係の有無に基づいて、前記ＳＰ−ＣＳＩ報告のタイミングを決定するステップと、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）においては、ユーザ端末（ＵＥ：User  Equipment）が基地局に対して、周期的及び／又は非周期的にチャネル状態情報（ＣＳＩ：Channel  State  Information）を送信する。ＵＥは、上り制御チャネル（ＰＵＣＣＨ：Physical  Uplink  Control  Channel）及び／又は上り共有チャネル（ＰＵＳＣＨ：Physical  Uplink  Shared  Channel）を用いて、ＣＳＩを送信する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）においては、既存のＬＴＥシステム（例えば、ＬＴＥ  Ｒｅｌ．１３以前）とは異なる構成を用いたＣＳＩ報告が検討されている。【０００７】
例えば、ＵＥが、半永続的（半持続的、セミパーシステント（Semi-Persistent））に指定されるリソースを用いてＣＳＩを報告する、ＳＰ−ＣＳＩ（Semi-Persistent  CSI）報告が検討されている。【０００８】
また、ＳＰ−ＣＳＩ報告のアクティベーションをＭＡＣ  ＣＥ（Medium  Access  Control  Control  Element）を用いて制御することが検討されている。しかしながら、ＵＥがＭＡＣ  ＣＥを受信してから実際にＳＰ−ＣＳＩ報告が可能になるまでの時間は、ＵＥの性能に依存すると考えられる。このため、ＵＥがＭＡＣ  ＣＥを受信してからどのタイミングでＳＰ−ＣＳＩ報告の送信を開始するか、などを適切に決定しなければ、スループットの低下などが生じるという課題がある。【０００９】
そこで、本開示は、ＭＡＣ  ＣＥによってＳＰ−ＣＳＩ報告アクティベーションが指示される場合であっても、ＳＰ−ＣＳＩ報告及び／又は検出を適切に制御できるユーザ端末及び無線通信方法を提供することを目的の１つとする。
【課題を解決するための手段】
【００１０】
本開示の一態様に係るユーザ端末は、セミパーシステントなチャネル状態情報の報告（ＳＰ−ＣＳＩ（Semi-Persistent  Channel  State  Information）報告）の開始を指示する情報を受信する受信部と、前記情報の受信に対するフィードバック報告のタイミングと、前記ＳＰ−ＣＳＩ報告のタイミングと、の関係の有無に基づいて、前記ＳＰ−ＣＳＩ報告のタイミングを決定する制御部と、を有することを特徴とする。
【発明の効果】
【００１１】
本開示の一態様によれば、ＭＡＣ  ＣＥによってＳＰ−ＣＳＩ報告アクティベーションが指示される場合であっても、ＳＰ−ＣＳＩ報告及び／又は検出を適切に制御できる。
【図面の簡単な説明】
【００１２】
【図１】図１は、実施形態１．１に係るｇＮＢ及びＵＥ動作の一例を示す図である。
【図２】図２は、第２の実施形態に係るｇＮＢ及びＵＥ動作の一例を示す図である。
【図３】図３は、一実施形態に係る無線通信システムの概略構成の一例を示す図である。
【図４】図４は、一実施形態に係る無線基地局の全体構成の一例を示す図である。
【図５】図５は、一実施形態に係る無線基地局の機能構成の一例を示す図である。
【図６】図６は、一実施形態に係るユーザ端末の全体構成の一例を示す図である。
【図７】図７は、一実施形態に係るユーザ端末の機能構成の一例を示す図である。
【図８】図８は、一実施形態に係る無線基地局及びユーザ端末のハードウェア構成の一例を示す図である。
【発明を実施するための形態】
【００１３】
ＮＲにおいては、下りリンクにおいてチャネル状態を測定する参照信号が検討されている。チャネル状態測定用の参照信号は、ＣＲＳ（Cell-specific  Reference  Signal）、ＣＳＩ−ＲＳ（Channel  State  Information-Reference  Signal）などと呼ばれる信号であってもよい。
【００１４】
ＵＥは、当該チャネル状態測定用の参照信号に基づいて測定した結果を、チャネル状態情報（ＣＳＩ）として無線基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）に所定のタイミングでフィードバック（報告）する。ＣＳＩは、ＣＱＩ（Channel  Quality  Indicator）、ＰＭＩ（Precoding  Matrix  Indicator）、ＲＩ（Rank  Indicator）などを含んでもよい。
【００１５】
ＣＳＩのフィードバック方法としては、（１）周期的なＣＳＩ（Ｐ−ＣＳＩ：Periodic  CSI）報告、（２）非周期的なＣＳＩ（A−ＣＳＩ：Aperiodic  CSI）報告、（３）半永続的（半持続的、セミパーシステント（Semi-Persistent））なＣＳＩ報告（ＳＰ−ＣＳＩ：Semi-Persistent  CSI）報告などが検討されている。
【００１６】
ＵＥは、一旦ＳＰ−ＣＳＩ報告用リソース（ＳＰ−ＣＳＩリソースと呼ばれてもよい）を指定された場合は、別途ＳＰ−ＣＳＩリソースの解除（リリース又はディアクティベーション）を指定されない限り、当該指定に基づくリソースを周期的に利用できる。
【００１７】
ＳＰ−ＣＳＩリソースは、上位レイヤシグナリングによって設定されるリソースであってもよいし、ＳＰ−ＣＳＩ報告のアクティベーション信号（「トリガ信号」と呼ばれてもよい）によって指定されるリソースであってもよい。
【００１８】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００１９】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００２０】
ＳＰ−ＣＳＩリソースの情報は、例えば、報告周期（ReportPeriodicity）及びオフセット（ReportSlotOffset）に関する情報を含んでもよく、これらはスロット単位、サブフレーム単位などで表現されてもよい。ＳＰ−ＣＳＩリソースの情報は、設定ＩＤ（CSI-ReportConfigId）を含んでもよく、当該設定ＩＤによってＣＳＩ報告方法の種類（ＳＰ−ＣＳＩか否か、など）、報告周期などのパラメータが特定されてもよい。ＳＰ−ＣＳＩリソースの情報は、ＳＰ−ＣＳＩリソース設定、ＳＰ−ＣＳＩ報告設定などと呼ばれてもよい。
【００２１】
ＵＥは、所定のアクティベーション信号を受信した場合に、例えば所定の参照信号（例えば、ＳＰ−ＣＳＩ−ＲＳと呼ばれてもよい）を用いたＣＳＩ測定及び／又はＳＰ−ＣＳＩリソースを用いたＳＰ−ＣＳＩ報告を周期的に行うことができる。ＵＥは、所定のディアクティベーション信号を受信した場合又は所定のタイマーが満了した場合、ＳＰ−ＣＳＩ測定及び／又は報告を停止する。
【００２２】
ＳＰ−ＣＳＩ報告は、プライマリセル（ＰＣｅｌｌ：Primary  Cell）、プライマリセカンダリセル（ＰＳＣｅｌｌ：Primary  Secondary  Cell）、ＰＵＣＣＨセカンダリセル（PUCCH  SCell）、その他のセル（例えば、セカンダリセル（Secondary  Cell））などを用いて送信されてもよい。
【００２３】
ＳＰ−ＣＳＩ報告のアクティベーション／ディアクティベーション信号は、例えば、ＭＡＣシグナリング（例えば、ＭＡＣ  ＣＥ）を用いて通知されてもよいし、物理レイヤシグナリング（例えば、下り制御情報（ＤＣＩ：Downlink  Control  Information））を用いて通知されてもよい。
【００２４】
なお、ＳＰ−ＣＳＩ報告は、ＰＵＣＣＨ及びＰＵＳＣＨのいずれか一方又は両方を用いて送信されてもよい。いずれを用いて送信するかは、ＲＲＣシグナリングによってｇＮＢからＵＥに設定されてもよいし、ＭＡＣ  ＣＥなどで指定されてもよいし、ＤＣＩによって通知されてもよい。
【００２５】
ＳＰ−ＣＳＩ報告を行うチャネルは、ＳＰ−ＣＳＩ報告のアクティベーション信号に基づいて判断されてもよい。例えば、ＰＵＣＣＨを用いるＳＰ−ＣＳＩ報告は、ＭＡＣ  ＣＥによってアクティベートされてもよいし、ＰＵＣＳＨを用いるＳＰ−ＣＳＩ報告は、ＤＣＩによってトリガされてもよい。
【００２６】
当該ＤＣＩは、ＳＰ−ＣＳＩ報告用の無線ネットワーク一時識別子（ＲＮＴＩ：Radio  Network  Temporary  Identifier）によって巡回冗長検査（ＣＲＣ：Cyclic  Redundancy  Check）ビットがマスキングされたＤＣＩであってもよい。
【００２７】
複数のＳＰ−ＣＳＩリソースがＵＥに設定されている場合、ＳＰ−ＣＳＩ報告のアクティベーション信号は当該複数のＳＰ−ＣＳＩリソースの１つを示す情報を含んでもよい。この場合、ＵＥは、ＳＰ−ＣＳＩ報告のアクティベーション信号に基づいて、ＳＰ−ＣＳＩ報告に用いるリソースを決定できる。
【００２８】
ＵＥは、所定のアクティベーション／ディアクティベーション信号の受信に応じて、フィードバックを送信してもよい。当該フィードバックは、確認応答（ＡＣＫ：Acknowledgement）であってもよい。例えば、所定のアクティベーション／ディアクティベーション信号がＭＡＣ  ＣＥを用いて送信される場合には、当該ＭＡＣ  ＣＥはＰＤＳＣＨに含まれて送信されることから、上記フィードバックは、当該ＰＤＳＣＨに対するＨＡＲＱフィードバック（例えば、ＡＣＫ、ＮＡＣＫ（Negative  ACK）、ＤＴＸ（Discontinuous  Transmission））であってもよい。
【００２９】
上述のように、ＮＲにおいて、ＳＰ−ＣＳＩ報告アクティベーションがＭＡＣ  ＣＥによって制御されることが検討されている。しかしながら、ＵＥがＭＡＣ  ＣＥを受信してから実際にＳＰ−ＣＳＩ報告が可能になるまでの時間は、ＵＥの性能に依存すると考えられる。このため、ＵＥがＭＡＣ  ＣＥを受信してからどのタイミングでＳＰ−ＣＳＩ報告の送信を開始するか、そもそもＳＰ−ＣＳＩリソースのタイミングはどのタイミングを基準にするか、などを適切に決定しなければ、スループットの低下などが生じるという課題がある。
【００３０】
そこで、本発明者らは、ＭＡＣ  ＣＥによってＳＰ−ＣＳＩ報告アクティベーションが通知される場合であっても、ＳＰ−ＣＳＩ報告及び／又は検出を適切に行うための方法を着想した。
【００３１】
以下、本開示に係る実施形態について、図面を参照して詳細に説明する。各実施形態に係る無線通信方法は、それぞれ単独で適用されてもよいし、組み合わせて適用されてもよい。
【００３２】
なお、本明細書の説明における「ＳＰ−ＣＳＩリソース」は、「ＳＰ−ＣＳＩ報告用ＰＵＣＣＨリソース」で読み替えられてもよく、アクティベーション信号によって指示された１つ又は複数のＰＵＣＣＨリソースであってもよい。「ＳＰ−ＣＳＩリソースの検出」は、「ＳＰ−ＣＳＩリソースを用いたＳＰ−ＣＳＩ報告の検出」で読み替えられてもよい。
【００３３】
また、ＳＰ−ＣＳＩリソース（ＳＰ−ＣＳＩ報告）に関して「設定された」という文言は、「設定されたリソース設定のうちアクティベートされた」を意味してもよい。
【００３４】
また、時間リソースの単位は、スロットに限られず、ミニスロット、サブスロット、シンボル、サブフレームなどで読み替えられてもよい。
【００３５】
以下では簡単のため、ＳＰ−ＣＳＩ報告アクティベーションのためのＭＡＣ  ＣＥを、単に「ＭＡＣ  ＣＥ」とも記載する。また、当該ＭＡＣ  ＣＥに対するＨＡＲＱフィードバック（例えば、ＡＣＫ、ＮＡＣＫ、ＤＴＸ）を、単に「フィードバック」とも記載する。なお、「ＭＡＣ  ＣＥ」は他のシグナリング（ＲＲＣシグナリング、ＤＣＩなど）に読み替えられてもよい。
【００３６】
（無線通信方法）
＜第１の実施形態＞
第１の実施形態において、ＵＥは、ＳＰ−ＣＳＩ報告の送信タイミングを上位レイヤシグナリング（例えば、ＲＲＣシグナリング）の設定のみに基づいて決定する。
【００３７】
ＵＥにおけるＳＰ−ＣＳＩ報告の送信タイミング及び／又はｇＮＢにおける当該報告の検出タイミングは、特に制約がないと想定してもよいし（実施形態１．１）、制約があると想定してもよい（実施形態１．２）。
【００３８】
［実施形態１．１］
ｇＮＢは、ＭＡＣ  ＣＥを送信すると、予め設定したＳＰ−ＣＳＩ用ＰＵＣＣＨリソースのうち直近のリソースからブラインド検出を開始してもよい。なお、ブラインド検出は、ＰＵＣＣＨリソース候補（設定したリソースのセット）をモニタし、送信されるべきＰＵＣＣＨリソースと受信信号との相関検出結果を見てＰＵＣＣＨリソースの送信有無を判断することを意味してもよいし、送信されるべきＰＵＣＣＨリソースに含まれるＣＳＩを誤り訂正復号及び／又はＣＲＣ復号することを意味してもよいし、これらの組み合わせによって検出することを意味してもよい。
【００３９】
ｇＮＢは、当該ブラインド検出を、当該ＭＡＣ  ＣＥに対するフィードバックの受信を待たずに行ってもよい。ｇＮＢは、当該ブラインド検出を、ＭＡＣ  ＣＥの送信と同じＴＴＩにおいて行ってもよい。
【００４０】
ＵＥは、ＭＡＣ  ＣＥを受信すると、予め設定されたＰＵＣＣＨリソースのうち、ＳＰ−ＣＳＩ報告の送信準備が完了する最速のタイミングに最も近い（直後に来る）ＰＵＣＣＨリソースを用いて、ＳＰ−ＣＳＩ報告を送信してもよい。ＵＥは、当該ＭＡＣ  ＣＥに対するフィードバックを送信する前に、当該ＳＰ−ＣＳＩ報告を送信してもよい。ＵＥは、ＭＡＣ  ＣＥの受信と同じＴＴＩにおいてＳＰ−ＣＳＩ報告を送信してもよい。
【００４１】
ＳＰ−ＣＳＩ報告の送信準備が完了するまでの時間は、受信したＭＡＣ  ＣＥの復号にかかる時間と、ＳＰ−ＣＳＩ報告の送信準備（信号生成、符号化など）にかかる時間と、を含んでもよい。送信準備の完了までの時間は、ＵＥの処理能力に基づいて決定されてもよいし、ＵＥは送信準備の完了を所定の時間以内に完了させるものとしてもよい。
【００４２】
実施形態１．１においては、ＭＡＣ  ＣＥに対するフィードバックは送信されなくてもよい。ｇＮＢは、ＵＥからＳＰ−ＣＳＩ報告を最初に受信した場合に、当該ＵＥからＡＣＫがフィードバックされたと想定してもよい。
【００４３】
図１は、実施形態１．１に係るｇＮＢ及びＵＥ動作の一例を示す図である。本例では、スロット単位の動作が示されているが、動作の単位は他のＴＴＩ（Transmission  Time  Interval）で表されてもよい。
【００４４】
本例において、ＵＥに対して、ＳＰ−ＣＳＩ報告周期（ReportPeriodicity）＝５スロット、ＳＰ−ＣＳＩ報告に関するオフセット（ReportSlotOffset）＝３スロットが設定されていると想定する。なお、設定の値は一例であって、これらに限られない。当該オフセットは、所定の期間における先頭のＴＴＩ（例えば、スロット＃０、サブフレーム＃０、フレーム＃０、シンボル＃０など）からのオフセットであると想定する。
【００４５】
本例では、ｇＮＢがスロット＃１において、ＵＥに対してＳＰ−ＣＳＩアクティベーションのためのＭＡＣ  ＣＥを送信する例を説明する。
【００４６】
ｇＮＢは、当該ＭＡＣ  ＣＥの送信後、上記ＵＥに設定したＳＰ−ＣＳＩ用ＰＵＣＣＨリソースが含まれるスロット＃３において、ＳＰ−ＣＳＩ報告（ＳＰ−ＣＳＩ報告を含むＰＵＣＣＨ）の検出を試行する。
【００４７】
ＵＥは、上記ＭＡＣ  ＣＥを受信済みであるが、まだＳＰ−ＣＳＩ報告の送信準備を完了していないため、スロット＃３のＳＰ−ＣＳＩリソースではＳＰ−ＣＳＩの送信を行わない。
【００４８】
一方で、本例においては、スロット＃８までにＵＥがＳＰ−ＣＳＩ報告の送信準備を完了したと想定する。ＵＥは、送信準備が完了したタイミングから直近のＳＰ−ＣＳＩリソースである、スロット＃３から報告周期（５スロット）だけ経過したスロット＃８のＳＰ−ＣＳＩリソースを用いて、ＳＰ−ＣＳＩをｇＮＢに対して送信する。
【００４９】
ｇＮＢは、上記ＵＥに設定したＳＰ−ＣＳＩ用ＰＵＣＣＨリソースが含まれるスロット＃８において、ＳＰ−ＣＳＩの検出を試行し、ＳＰ−ＣＳＩを受信できる。
【００５０】
以降、ディアクティベーション信号がＵＥに通知されるまでは、報告周期ごとのスロットにおいて、ＵＥはＳＰ−ＣＳＩ報告を行い、ｇＮＢはＳＰ−ＣＳＩ報告の検出を行うことができる。
【００５１】
なお、ＵＥは、ＭＡＣ  ＣＥを受信してからＳＰ−ＣＳＩ報告の送信準備が完了するまでの時間に関する情報を、ｇＮＢに対して通知してもよい。当該情報は、ＵＥ能力情報（UE  Capability）に含まれてもよい。ＵＥは、ＭＡＣ  ＣＥを受信してから、当該ＵＥ能力情報によって通知する時間よりも早く、ＳＰ−ＣＳＩ報告を開始しなくてもよい、又は開始してはならないと想定して制御してもよい。
【００５２】
当該情報を通知されたｇＮＢは、ＭＡＣ  ＣＥの送信後、当該情報に基づいて、ＵＥが最速でＳＰ−ＣＳＩ報告を送信し得るＰＵＣＣＨリソースからＳＰ−ＣＳＩのブラインド検出を行うように制御できるため、無駄なブラインド検出を抑制できる。
【００５３】
［実施形態１．２］
ｇＮＢは、ＭＡＣ  ＣＥを送信し、かつ当該ＭＡＣ  ＣＥに対するＡＣＫ（ＨＡＲＱ−ＡＣＫ）を受信した場合に、予め設定したＳＰ−ＣＳＩ用ＰＵＣＣＨリソースのうち直近のリソースからブラインド検出を開始してもよい。ｇＮＢは、ＭＡＣ  ＣＥを送信し、かつ当該ＭＡＣ  ＣＥに対するＡＣＫを受信しない場合（又は、ＮＡＣＫを受信する場合、ＤＴＸを検出する場合）には、ＳＰ−ＣＳＩリソースの検出を行わなくてもよい。
【００５４】
以下、実施形態１．１との違いについて主に説明する。説明を省略する点については、実施形態１．１と同様であってもよい。例えば、ＵＥ及び／又はｇＮＢは、ＳＰ−ＣＳＩ報告に関するオフセットを、所定の期間における先頭のＴＴＩ（例えば、スロット＃０、サブフレーム＃０、フレーム＃０、シンボル＃０など）からのオフセットであると想定してもよい。
【００５５】
ＵＥは、ＭＡＣ  ＣＥを受信し、かつ当該ＭＡＣ  ＣＥに対するＡＣＫを送信した場合に、ＳＰ−ＣＳＩ報告を送信してもよい。
【００５６】
ＵＥは、ＭＡＣ  ＣＥに対するフィードバック（ＡＣＫ、ＮＡＣＫなど）を、ＨＡＲＱ−ＡＣＫ用のＰＵＣＣＨリソースを用いて送信してもよい。
【００５７】
ＵＥは、ＨＡＲＱ−ＡＣＫ用のＰＵＣＣＨリソースに関する情報（例えば、時間周期、時間オフセット、ＰＲＢインデックス、周波数オフセットなど）を、上位レイヤシグナリング（例えば、ＲＲＣシグナリング）、物理レイヤシグナリング（例えば、ＤＣＩ）又はこれらの組み合わせを用いて、ｇＮＢから通知されてもよい。
【００５８】
ここで、ＭＡＣ  ＣＥに対するＡＣＫの送信タイミングとＳＰ−ＣＳＩ報告の送信タイミングが重複（衝突）する場合には、ＵＥは、以下の（１）−（３）の少なくとも１つの想定に基づいて送信を制御してもよい：
（１）ＨＡＲＱ−ＡＣＫ用のＰＵＣＣＨリソースが１つ又は複数のＳＰ−ＣＳＩ報告を含むことができるほど大きい場合、ＨＡＲＱ−ＡＣＫ用のＰＵＣＣＨリソースをＳＰ−ＣＳＩ報告の送信に用いる（ＳＰ−ＣＳＩをＡＣＫに多重する（multiplexed））。そうでない場合、上記ＳＰ−ＣＳＩをドロップし、次の利用可能なＳＰ−ＣＳＩリソースをＳＰ−ＣＳＩ報告の送信に用いる（つまり、ＳＰ−ＣＳＩ報告の送信を遅延させる）、
（２）ＣＳＩ報告及びＨＡＲＱ−ＡＣＫの同時送信が有効である（enabled又は設定された（Configuredな））場合、ＳＰ−ＣＳＩリソースをＭＡＣ  ＣＥに対するＡＣＫの送信に用いる（ＡＣＫをＳＰ−ＣＳＩに多重する（multiplexed））、
（３）ＣＳＩ報告及びＨＡＲＱ−ＡＣＫの同時送信が無効である（disabled又は設定されていない（Not  configuredな））場合、上記ＳＰ−ＣＳＩ報告をドロップする。この場合、ＨＡＲＱ−ＡＣＫ用のＰＵＣＣＨリソースをＭＡＣ  ＣＥに対するＡＣＫの送信に用いる。当該ＰＵＣＣＨリソースは、ＤＣＩによって指示されたリソースであってもよく、当該ＤＣＩは、例えばＭＡＣ  ＣＥの受信を指示するＤＣＩであってもよい。
【００５９】
ユーザ端末においてＭＡＣ  ＣＥに対するＡＣＫの送信タイミングとＳＰ−ＣＳＩ報告の送信タイミングが重複（衝突）する場合には、ｇＮＢは、以下の（１）−（３）の少なくとも１つの想定に基づいて受信を制御してもよい：
（１）ＨＡＲＱ−ＡＣＫ用のＰＵＣＣＨリソースが１つ又は複数のＳＰ−ＣＳＩ報告を含むことができるほど大きい場合、ＨＡＲＱ−ＡＣＫ用のＰＵＣＣＨリソースがＳＰ−ＣＳＩ報告の送信に用いられる（ＳＰ−ＣＳＩがＡＣＫに多重される（multiplexed））。そうでない場合、上記ＳＰ−ＣＳＩはドロップされ、次の利用可能なＳＰ−ＣＳＩリソースがＳＰ−ＣＳＩ報告の送信に用いられる、
（２）ユーザ端末に対して、ＣＳＩ報告及びＨＡＲＱ−ＡＣＫの同時送信が有効である（enabled）と設定した場合、ＳＰ−ＣＳＩリソースがＭＡＣ  ＣＥに対するＡＣＫの送信に用いられる（ＡＣＫがＳＰ−ＣＳＩに多重される（multiplexed））、
（３）ユーザ端末に対して、ＣＳＩ報告及びＨＡＲＱ−ＡＣＫの同時送信が無効である（disabled）と設定した場合、上記ＳＰ−ＣＳＩ報告はドロップされる。この場合、ＨＡＲＱ−ＡＣＫ用のＰＵＣＣＨリソースがＭＡＣ  ＣＥに対するＡＣＫの送信に用いられる。当該ＰＵＣＣＨリソースは、ＤＣＩによって指示したリソースであってもよく、当該ＤＣＩは、例えばＭＡＣ  ＣＥの受信を指示するＤＣＩであってもよい。
【００６０】
なお、ＵＥは、ＣＳＩ報告及びＨＡＲＱ−ＡＣＫの同時送信が有効か否かに関する情報を、上位レイヤシグナリング（例えば、ＲＲＣシグナリング）、物理レイヤシグナリング（例えば、ＤＣＩ）又はこれらの組み合わせを用いて、ｇＮＢから通知されてもよい。
【００６１】
また、ＵＥは、ＳＰ−ＣＳＩ報告を送信することで、ＭＡＣ  ＣＥに対するＡＣＫの送信を省略してもよい。ｇＮＢは、ＵＥからＳＰ−ＣＳＩ報告を最初に受信した場合に、当該ＵＥから上記ＡＣＫがフィードバックされたと想定してもよい。
【００６２】
ＵＥがＡＣＫを送信し、ｇＮＢが当該ＡＣＫを受信する以降、ディアクティベーション信号がＵＥに通知されるまでは、報告周期ごとのスロットにおいて、ＵＥはＳＰ−ＣＳＩ報告を行い、ｇＮＢはＳＰ−ＣＳＩ報告の検出を行うことができる。
【００６３】
以上説明した第１の実施形態によれば、ＳＰ−ＣＳＩ報告設定のオフセットが所定の期間における先頭のＴＴＩ（例えば、スロット＃０）からのオフセットであると想定することができる。このため、ＭＡＣ  ＣＥによってＳＰ−ＣＳＩ報告アクティベーションが指示される場合であっても、ＵＥ及びｇＮＢの間でＳＰ−ＣＳＩリソースについて齟齬が生じることなくＳＰ−ＣＳＩ報告及び／又は検出を適切に行うことができる。
【００６４】
＜第２の実施形態＞
第２の実施形態において、ＵＥは、ＳＰ−ＣＳＩ報告の送信タイミングを上位レイヤシグナリング（例えば、ＲＲＣシグナリング）の設定及びＭＡＣ  ＣＥの受信をスケジュールするＤＣＩ（例えば、ＤＬアサインメントなどと呼ばれてもよい）に基づいて決定する。
【００６５】
ＵＥは、ＭＡＣ  ＣＥ（ＰＤＳＣＨ）の受信を指示するＤＣＩ（ＰＤＣＣＨ）を受信する。当該ＤＣＩは、当該ＭＡＣ  ＣＥに対するフィードバックの送信タイミングに関する情報を含む。当該情報は、ＨＡＲＱ−ＡＣＫ用タイミング指示（timing  indication）、Ｋ１などと呼ばれてもよい。ＨＡＲＱ−ＡＣＫ用タイミング指示は、例えばスロット単位で表されてもよい。
【００６６】
ｇＮＢは、ＭＡＣ  ＣＥを送信した後、かつ当該ＭＡＣ  ＣＥに対するＡＣＫ（ＨＡＲＱ−ＡＣＫ）を受信した場合に、当該ＡＣＫを受信したスロットを基準として、予め設定したＳＰ−ＣＳＩ用ＰＵＣＣＨリソースの時間オフセット後のリソースからブラインド検出を開始してもよい。ｇＮＢは、ＡＣＫを受信しない場合（又は、ＮＡＣＫを受信する場合、ＤＴＸを検出する場合）には、ＳＰ−ＣＳＩリソースの検出を行わなくてもよい。
【００６７】
言い換えると、ｇＮＢは、ＭＡＣ  ＣＥに対するＡＣＫ（ＨＡＲＱ−ＡＣＫ）を受信したタイミング（例えば、スロット）を基準として、上位レイヤシグナリングを用いて設定したＳＰ−ＣＳＩリソースのオフセットを加えたタイミングが、ＳＰ−ＣＳＩリソースであると特定してもよい。また、設定したＳＰ−ＣＳＩリソースの送信周期を用いてＳＰ−ＣＳＩ報告を検出する制御を、当該タイミングから開始してもよい。
【００６８】
ＵＥは、ＭＡＣ  ＣＥを受信した後、上述のＨＡＲＱ−ＡＣＫ用タイミング指示に基づいて、当該ＭＡＣ  ＣＥに対するＡＣＫを送信するタイミングを決定し、決定したタイミングでＡＣＫをｇＮＢに送信する。
【００６９】
ＵＥは、実施形態１．２と同様に、ＭＡＣ  ＣＥに対するフィードバック（ＡＣＫ、ＮＡＣＫなど）を、ＨＡＲＱ−ＡＣＫ用のＰＵＣＣＨリソースを用いて送信してもよい。
【００７０】
ＵＥは、ＭＡＣ  ＣＥに対するＡＣＫを送信した後、当該ＡＣＫを受信したスロットを基準として、予め設定したＳＰ−ＣＳＩ用ＰＵＣＣＨリソースの時間オフセット後であって直近のＰＵＣＣＨリソースにおいて、ＳＰ−ＣＳＩ報告を送信してもよい。
【００７１】
言い換えると、ＵＥは、ＭＡＣ  ＣＥに対するＡＣＫ（ＨＡＲＱ−ＡＣＫ）を送信したタイミング（例えば、スロット）を基準として、上位レイヤシグナリングを用いて設定されたＳＰ−ＣＳＩリソースのオフセットを加えたタイミングが、ＳＰ−ＣＳＩリソースであると特定してもよい。また、設定したＳＰ−ＣＳＩリソースの送信周期を用いてＳＰ−ＣＳＩ報告を送信する制御を、当該タイミングから開始してもよい。
【００７２】
つまり、第２の実施形態においては、上位レイヤシグナリングを用いて設定されたＳＰ−ＣＳＩリソースのオフセット（ReportSlotOffset）は、所定の期間における先頭のＴＴＩ（例えば、スロット＃０、サブフレーム＃０、フレーム＃０、シンボル＃０など）からのオフセットを意味するのではなく、ＳＰ−ＣＳＩ報告アクティベーションのためのＭＡＣ  ＣＥに対するＡＣＫを送信及び／又は受信したタイミング（又は当該タイミングに基づいて導出されるタイミング）からのオフセットを意味してもよい。
【００７３】
なお、ＨＡＲＱ−ＡＣＫ用タイミング指示は、ＭＡＣ  ＣＥの受信タイミングから当該ＭＡＣ  ＣＥに対するＨＡＲＱ−ＡＣＫを送信するタイミングの期間を示してもよいし、ＭＡＣ  ＣＥの受信を指示するＤＣＩの受信タイミングから上記ＨＡＲＱ−ＡＣＫを送信するタイミングの期間を示してもよい。
【００７４】
図２は、第２の実施形態に係るｇＮＢ及びＵＥ動作の一例を示す図である。本例では、スロット単位の動作が示されているが、動作の単位は他のＴＴＩで表されてもよい。
【００７５】
本例においては、図１と同様に、ＵＥに対して、ＳＰ−ＣＳＩ報告周期（ReportPeriodicity）＝５スロット、ＳＰ−ＣＳＩ報告に関するオフセット（ReportSlotOffset）＝３スロット（図２ではｘ２として示されている）が設定されていると想定する。
【００７６】
本例では、ｇＮＢがスロット＃１において、ＵＥに対してＳＰ−ＣＳＩアクティベーションのためのＭＡＣ  ＣＥを送信する例を説明する。
【００７７】
ｇＮＢは、例えばスロット＃１において、当該ＭＡＣ  ＣＥを含むＰＤＳＣＨをスケジューリングするＤＣＩに、ＨＡＲＱ−ＡＣＫ用タイミング指示を含めて送信する。本例の場合、ＨＡＲＱ−ＡＣＫ用タイミング指示＝２スロット（図２ではｘ１として示されている）が通知されると想定する。なお、当該ＤＣＩは、ＭＡＣ  ＣＥと同じスロットではなく、別のスロット（例えば、スロット＃０）において送信されてもよい。
【００７８】
ＵＥは、上記ＭＡＣ  ＣＥを受信したタイミング（スロット＃１）を基準としたＨＡＲＱ−ＡＣＫ用タイミング指示が示すタイミング（スロット＃３）において、ＡＣＫをｇＮＢに送信する。
【００７９】
ＵＥは、ＡＣＫの送信後、設定されたＳＰ−ＣＳＩ報告に関するオフセット（＝スロット３）が経過したタイミング（スロット＃６）のＳＰ−ＣＳＩリソースを用いて、ＳＰ−ＣＳＩをｇＮＢに対して送信する。
【００８０】
ｇＮＢは、ＭＡＣ  ＣＥの送信タイミングから、ｘ１＋ｘ２（＝５スロット）が経過したタイミング（スロット＃６）において、ＳＰ−ＣＳＩ報告（ＳＰ−ＣＳＩ報告を含むＰＵＣＣＨ）の検出を試行し、ＳＰ−ＣＳＩを受信できる。
【００８１】
以降、ディアクティベーション信号がＵＥに通知されるまでは、報告周期ごとのスロットにおいて、ＵＥはＳＰ−ＣＳＩ報告を行い、ｇＮＢはＳＰ−ＣＳＩ報告の検出を行うことができる。
【００８２】
以上説明した第２の実施形態によれば、ＳＰ−ＣＳＩ報告設定のオフセットがＳＰ−ＣＳＩ報告アクティベーションのためのＭＡＣ  ＣＥに対するＡＣＫを送信及び／又は受信したタイミングのオフセットであると想定することができる。このため、ＭＡＣ  ＣＥによってＳＰ−ＣＳＩ報告アクティベーションが指示される場合であっても、ＵＥ及びｇＮＢの間でＳＰ−ＣＳＩリソースについて齟齬が生じることなくＳＰ−ＣＳＩ報告及び／又は検出を適切に行うことができる。
【００８３】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００８４】
図３は、一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８５】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８６】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００８７】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）を用いてＣＡ又はＤＣを適用してもよい。
【００８８】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００８９】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９０】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００９１】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００９２】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９３】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９４】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９５】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００９６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００９７】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００９８】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００９９】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１００】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１０１】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０２】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０３】
（無線基地局）
図４は、一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０４】
下りリンクによって無線基地局１０からユーザ端末２０に送信されるユーザデータは、上位局装置３０から伝送路インターフェース１０６を介してベースバンド信号処理部１０４に入力される。
【０１０５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０６】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０７】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１０８】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１０９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１０】
送受信部１０３は、セミパーシステントに指定されるリソースを用いて、ユーザ端末２０から送信されたチャネル状態情報（ＳＰ−ＣＳＩ）を受信してもよい。送受信部１０３は、ユーザ端末２０に対して、送信指示（ＵＬグラント）を送信してもよい。
【０１１１】
送受信部１０３は、ＳＰ−ＣＳＩ報告及びＵＬＧＦ送信の優先度に関する情報などを、ユーザ端末２０に送信してもよい。
【０１１２】
図５は、一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１１３】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１４】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１１５】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１１６】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１１７】
制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１１８】
制御部３０１は、上りデータ信号（例えば、ＰＵＳＣＨで送信される信号）、上り制御信号（例えば、ＰＵＣＣＨ及び／又はＰＵＳＣＨで送信される信号。送達確認情報など）、ランダムアクセスプリアンブル（例えば、ＰＲＡＣＨで送信される信号）、上り参照信号などのスケジューリングを制御する。
【０１１９】
制御部３０１は、セミパーシステントに指定されるリソース（ＳＰ−ＣＳＩリソース）が含まれる期間における受信処理（例えば、復号など）を制御してもよい。制御部３０１は、セミパーシステントなチャネル状態情報の報告（ＳＰ−ＣＳＩ報告）の開始を指示する情報（例えば、ＳＰ−ＣＳＩ報告アクティベーションのためのＭＡＣ  ＣＥ）の生成及び送信を制御してもよい。
【０１２０】
例えば、制御部３０１は、上記情報に応じたフィードバック報告（上記情報に応じてユーザ端末２０によって通知されるフィードバック報告）のタイミング（例えば、受信タイミング）である第１のタイミング（第１の受信タイミングと呼ばれてもよい）と、上記ＳＰ−ＣＳＩ報告のタイミング（例えば、受信タイミング）である第２のタイミング（第２の受信タイミングと呼ばれてもよい）と、の関係の有無に基づいて、当該第２のタイミングを決定（特定）してもよい。
【０１２１】
制御部３０１は、上記第１のタイミングと、上記第２のタイミングと、の関係がないと想定して、上記第１のタイミングに依らずに上記第２のタイミングを決定してもよい。
【０１２２】
制御部３０１は、上記第１のタイミングと、上記第２のタイミングと、の関係があると想定して、上記第１のタイミングに基づいて上記第２のタイミングを決定してもよい。
【０１２３】
制御部３０１は、上記第１のタイミングに、上位レイヤシグナリング（例えば、ＲＲＣシグナリング）によってユーザ端末２０に設定するＳＰ−ＣＳＩ報告に関するタイミングオフセット（例えば、ＳＰ−ＣＳＩ設定に含まれるオフセット（ReportSlotOffset））を加えたタイミングが、上記第２のタイミングであると決定してもよい。
【０１２４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１２５】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理が行われる。
【０１２６】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１２７】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１２８】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１２９】
測定部３０５は、受信した信号に関する測定を実施する。測定部３０５は、本開示に係る技術分野での共通認識に基づいて説明される測定器、測定回路又は測定装置から構成することができる。
【０１３０】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１３１】
（ユーザ端末）
図６は、一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３２】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３３】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１３４】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１３５】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１３６】
送受信部２０３は、セミパーシステントに指定されるリソースを用いてチャネル状態情報（ＳＰ−ＣＳＩ）を送信してもよい。送受信部２０３は、無線基地局１０から送信指示（ＵＬグラント）を受信してもよい。
【０１３７】
送受信部２０３は、ＳＰ−ＣＳＩ報告及びＵＬＧＦ送信の優先度に関する情報などを、無線基地局１０から受信してもよい。
【０１３８】
図７は、一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１３９】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１４０】
制御部４０１は、ユーザ端末２０全体の制御を実施する。制御部４０１は、本開示に係る技術分野での共通認識に基づいて説明されるコントローラ、制御回路又は制御装置から構成することができる。
【０１４１】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１４２】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１４３】
制御部４０１は、受信信号処理部４０４から、セミパーシステントなチャネル状態情報の報告（ＳＰ−ＣＳＩ報告）の開始を指示する情報（例えば、ＳＰ−ＣＳＩ報告アクティベーションのためのＭＡＣ  ＣＥ）を取得し、ＳＰ−ＣＳＩ報告に関する制御を実施してもよい。
【０１４４】
制御部４０１は、上記情報の受信に対するフィードバック報告のタイミング（例えば、送信タイミング）である第１のタイミング（第１の送信タイミングと呼ばれてもよい）と、上記ＳＰ−ＣＳＩ報告のタイミング（例えば、送信タイミング）である第２のタイミング（第２の送信タイミングと呼ばれてもよい）と、の関係の有無に基づいて、当該第２のタイミングを決定（特定）してもよい。
【０１４５】
制御部４０１は、上記第１のタイミングと、上記第２のタイミングと、の関係がないと想定して、上記第１のタイミングに依らずに上記第２のタイミングを決定してもよい。
【０１４６】
制御部４０１は、上記第１のタイミングと、上記第２のタイミングと、の関係があると想定して、上記第１のタイミングに基づいて上記第２のタイミングを決定してもよい。
【０１４７】
制御部４０１は、上記第１のタイミングに、上位レイヤシグナリング（例えば、ＲＲＣシグナリング）によって設定されるＳＰ−ＣＳＩ報告に関するタイミングオフセット（例えば、ＳＰ−ＣＳＩ設定に含まれるオフセット（ReportSlotOffset））を加えたタイミングが、上記第２のタイミングであると決定してもよい。
【０１４８】
なお、本明細書において、「ユーザ端末２０の送信（又は送信タイミング）」は、例えば「無線基地局１０の受信（又は送信タイミング）」で読み替えられてもよい。
【０１４９】
また、制御部４０１は、無線基地局１０から通知された各種情報を受信信号処理部４０４から取得した場合、当該情報に基づいて制御に用いるパラメータを更新してもよい。
【０１５０】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１５１】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１５２】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１５３】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１５４】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１５５】
測定部４０５は、受信した信号に関する測定を実施する。測定部４０５は、本開示に係る技術分野での共通認識に基づいて説明される測定器、測定回路又は測定装置から構成することができる。
【０１５６】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１５７】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１５８】
例えば、本開示の一実施形態における無線基地局、ユーザ端末などは、本開示の無線通信方法の処理を行うコンピュータとして機能してもよい。図８は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１６０】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１６１】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１６２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１６３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１６４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１６５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１６６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１６７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６８】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１６９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７０】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７１】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１７２】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１７３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１７５】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１７６】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１７８】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１７９】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８２】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１８３】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１８４】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８５】
また、情報、信号などは、上位レイヤから下位レイヤ、及び／又は下位レイヤから上位レイヤへ出力され得る。情報、信号などは、複数のネットワークノードを介して入出力されてもよい。
【０１８６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１８７】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８８】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１８９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１９３】
本明細書において使用する「システム」及び「ネットワーク」という用語は、互換的に使用される。
【０１９４】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１９５】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１９６】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０１９７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９８】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１９９】
同様に、本明細書におけるユーザ端末は、無線基地局で読み替えてもよい。この場合、上述のユーザ端末２０が有する機能を無線基地局１０が有する構成としてもよい。
【０２００】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０１】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２０２】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２０３】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２０４】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２０５】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２０６】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２０７】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２０８】
本明細書において、「ＡとＢが異なる」という用語は、「ＡとＢが互いに異なる」ことを意味してもよい。「離れる」、「結合される」などの用語も同様に解釈されてもよい。
【０２０９】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２１０】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【図１】
2019159243.tif 000003
【図２】
2019159243.tif 000004
【図３】
2019159243.tif 000005
【図４】
2019159243.tif 000006
【図５】
2019159243.tif 000007
【図６】
2019159243.tif 000008
【図７】
2019159243.tif 000009
【図８】
2019159243.tif 000010
【国際調査報告】
2019159243.tif 000011
2019159243.tif 000012
2019159243.tif 000013
2019159243.tif 000014